(57)【要約】【課題】落下により外表面に衝撃を受けてもヒンジ部に安定して給電してアンテナ性の向上を図ること。【解決手段】背面部１２５と略平行に下部回路基板１４０が設けられる下部筐体１１０と、上部回路基板１５０が設けられる上部筐体１２０とは導電性を有するヒンジ部１３０を介して回動自在に連結されている。第１回路基板１４０とヒンジ部１３０とは、接続板金１６０により電気的に接続される。接続板金１６０は、上部筐体１２０内に配置され、上部回路基板１５０に接続する接点部１６１と、接点部１６１から延出し、且つ、ヒンジ部１３０の外周に沿って曲がる曲げ部１６３と、曲げ部１６３の延出方向側の部位からヒンジ部１３０の外周に向かって突出し、当接した状態で付勢するバネ接点部１６５とを有する。バネ接点部１６５の付勢方向は、ヒンジ部１３０の軸部１３３及び上部回路基板１５０の双方と垂直な方向と交差する。【選択図】図７
2011166513.tif 000002
【特許請求の範囲】
【請求項１】
内部に外表面と略平行で第１回路基板が設けられる第１筐体と、内部に第２回路基板が設けられる第２筐体と、前記第１筐体と前記第２筐体とを回動自在に連結し、且つ、導電性を有するヒンジ部と、前記第１回路基板と前記ヒンジ部とを電気的に接続する接続板金と、
を備え、
前記接続板金は、
前記第１筐体内に配置され、前記第１回路基板に接続する接点部と、
前記接点部から延出し、且つ、前記ヒンジ部の外周に沿って曲がる曲部と、
前記曲部の前記延出方向側に設けられ、前記ヒンジ部の外周に向かって突出し、当接した状態で付勢するバネ接点部とを有し、
前記バネ接点部の付勢方向は、前記ヒンジ部の軸心及び前記第１回路基板の双方と垂直な方向と交差する、
折り畳み式携帯無線機。
【請求項２】
前記バネ接点部は、前記ヒンジ部の軸心に向かう方向に付勢されている、
請求項１記載の折り畳み式携帯無線機。
【請求項３】
前記第１筐体は、前記ヒンジ部の外周に形成された凸部と係合して、前記ヒンジ部の位置決めを行うリブを備え、
前記接続板金は、前記第１筐体内で前記リブにより固定されている、
請求項１記載の折り畳み式携帯無線機。
【発明の詳細な説明】
【技術分野】
【０００１】
本発明は、携帯電話機等の携帯無線機に関し、特に、ヒンジ部を介して複数の筐体を開閉自在に連結した折り畳み式携帯無線機に関する。
【背景技術】
【０００２】
近年、携帯電話機の一種である携帯無線機は、上部筐体と下部筐体とをヒンジ部で連結して開閉自在な構造とし、通話時及びデータ通信時の開いた状態と待ち受け時の閉じた状態との２つの状態を取り得るようにした折り畳み式携帯無線機が広く普及している。
【０００３】
折り畳み式携帯無線機は、小型化と多機能化が進んでおり、近年の多機能化のひとつとして、デザイン性向上のためアンテナの内蔵化が進んでいる。
【０００４】
アンテナが内蔵された折り畳み式の携帯無線機としては、例えば、特許文献１に示すように、下部筐体内に設けられ、グランド回路を有する回路基板の無線部に接続された給電手段からヒンジ部に給電し、ヒンジ部を無線通信用アンテナとした構造が知られている。
【０００５】
特許文献１では、回路基板のアース（グランド）回路とヒンジ部とは、下部筐体内に配置された接続金具を介して接続されている。接続金具は、アース回路に接続された接点部と、回路基板と平行な面から立ち上がり、且つ、付勢方向を回路基板面と垂直な方向としたバネ接点部とを備え、バネ接点部の先端をヒンジ部の外周に当接させることによって、回路基板とヒンジ部と電気的に接続している。
【０００６】
この特許文献１では、開き時に上部筐体側のフレーム及び下部筐体の回路基板（詳細にはグランドパターン）を突起物のないアンテナ素子として用いることでダイポール動作する。このダイポール動作するアンテナは、配設される筐体において、高さ制限もなく、アンテナ体積を大きく、つまり、アンテナの実効面積を広くとることが可能となるため、広帯域、高利得なアンテナ性能を容易に得ることができる。
【先行技術文献】
【特許文献】
【０００７】
【特許文献１】特開２００９−８９２０４号公報
【発明の概要】
【発明が解決しようとする課題】
【０００８】
ところで、折り畳み式携帯無線機では、近年、薄型化、小型化が図られており、折り畳まれる筐体自体の厚みも薄くしたいという要望がある。
【０００９】
従来の構造では、バネ接点部は、その付勢方向（ストローク方向）を、回路基板に対して垂直な方向、つまり、外面から垂直な方向にして筐体内に設けられている。このため、薄型化により回路基板と筐体の外面との間隔を狭くした折り畳み式携帯無線機が、折り畳まれた状態で外面側から落下して外面に衝撃を受ける場合に、バネ接点部には付勢方向に直接荷重がかかる。よって、過度の落下による衝撃が極端に大きい場合や、過度の落下によって衝撃を何度も受ける場合にバネ接点部が変形して、ヒンジ部への安定した接点状態を確保できずヒンジ部をアンテナとして安定して用いることができないという虞がある。これに対応するには、メンテナンスによって部品を交換する等の煩雑な作業が必要となる。
【００１０】
本発明はかかる点に鑑みてなされたものであり、落下により外表面に衝撃を受けてもヒンジ部に安定して給電してアンテナ性の向上を図ることができる折り畳み式携帯無線機を提供することを目的とする。
【課題を解決するための手段】
【００１１】
本発明の折り畳み式携帯無線機の一つの態様は、内部に外表面と略平行に第１回路基板が設けられる第１筐体と、内部に第２回路基板が設けられる第２筐体と、前記第１筐体と前記第２筐体とを回動自在に連結し、且つ、導電性を有するヒンジ部と、前記第１回路基板と前記ヒンジ部とを電気的に接続する接続板金と、を備え、前記接続板金は、前記第１筐体内に配置され、前記第１回路基板に接続する接点部と、前記接点部から延出し、且つ、前記ヒンジ部の外周に沿って曲がる曲部と、前記曲部の前記延出方向側に設けられ、前記ヒンジ部の外周に向かって突出し、当接した状態で付勢するバネ接点部とを有し、前記バネ接点部の付勢方向は、前記ヒンジ部の軸心及び前記第１回路基板の双方と垂直な方向と交差する構成を採る。
【発明の効果】
【００１２】
本発明によれば、落下により外表面側から衝撃を受けてもヒンジ部に安定して給電してアンテナ性の向上を図ることができる。
【図面の簡単な説明】
【００１３】
【図１】本発明の一実施の形態に係る折り畳み式携帯無線機の要部構成を示す概略分解斜視図
【図２】本発明の一実施の形態に係る折り畳み式携帯無線機の平面図
【図３】本発明の一実施の形態に係る折り畳み式携帯無線機の備える接続板金の右側面図
【図４】本発明の一実施の形態に係る折り畳み式携帯無線機の備える接続板金の背面図
【図５】本発明の一実施の形態に係る折り畳み式携帯無線機の備える接続板金の正面図
【図６】本発明の一実施の形態に係る折り畳み式携帯無線機の備える接続板金を背面側からみた斜視図
【図７】本発明の一実施の形態に係る折り畳み式携帯無線機において接続板金とヒンジ部との接続の説明に供する図
【発明を実施するための形態】
【００１４】
以下、本発明の実施の形態について、図面を参照して詳細に説明する。
【００１５】
図１は、本発明の一実施の形態に係る折り畳み式携帯無線機の要部構成を示す概略分解斜視図であり、図２は、本発明の一実施の形態に係る折り畳み式携帯無線機の平面図である。
【００１６】
図１及び図２に示す折り畳み式携帯無線機１００は、表面１１１にキーなど操作部が配置された下筐体（第２筐体）１１０と、表示部による表示面１２１を有する上筐体１２０（第１筐体）と、下筐体１１０と上筐体１２０とを回動自在に連結するヒンジ部１３０とを備える。折り畳み式携帯無線機（以下、「携帯無線機」という）１００では、下筐体１１０及び上筐体１２０はヒンジ部１３０を中心に回動することによって開閉する。下筐体１１０及び上筐体１２０を閉じた状態とは、下筐体１１０と上筐体１２０とを重ねた状態、つまり、表示部による表示面１２１と表面（以下、「操作面」ともいう）１１１とを対向するように折り畳まれた状態である。
【００１７】
図１に示すように、下筐体１１０は、箱状の底面ケース１１２に、操作面１１１を有する表面側ケース１１４を被せて形成され、内部に、グランド回路を有する下部回路基板１４０が配置されている。
【００１８】
下筐体１１０において、表面側ケース１１４の一端部（ここでは、基端側端辺部１１２ａ）側には、基端側端辺部１１２ａに沿って上方に膨出して形成された中空のヒンジケース部１１３ａ、１１３ｂが配設されている。
【００１９】
このヒンジケース部１１３ａ、１１３は、基端側端辺部１１２ａに所定間隔を空けて配置され、ここでは、基端側端辺部１１２ａの両側部にそれぞれ離間して配置されている。ヒンジケース部１１３ａには、側方から挿入されるヒンジ部１３０のヒンジ基部１３１が固定される。なお、ヒンジケース部１１３ａ内に挿入されたヒンジ部１３０の回動筒部１３２は、上筐体１２０の筒状のヒンジケース部１２３の一端側の開口部内に挿入され、このヒンジケース部１１３ａ内で嵌合して固定される。
【００２０】
ヒンジケース部１１３ａ内に配設されたヒンジ基部１３１には、下部回路基板１４０のグランド回路に電気的に接続される。
【００２１】
また、ヒンジケース部１１３ｂには、ヒンジ部１３０と同径で、且つ、同軸心を有する補助ヒンジ部１３５が挿入されて固定される。この補助ヒンジ部１３５においてヒンジケース部１１３ｂからヒンジケース部１１３ａ側に突出する部位は、上筐体１２０のヒンジケース部１２３における他端側の開口部内に回動自在に挿入される。
【００２２】
ヒンジ部１３０は、例えば焼結合金などの導電性を有する材料で形成され、円柱状のヒンジ基部１３１と、ヒンジ基部１３１と同径で、且つヒンジ基部１３１の軸心と同軸心で回動自在に設けられた回動筒部１３２とを有する。
【００２３】
回動筒部１３２は、ヒンジ基部１３１に対し、ヒンジ基部１３１の端面の中央から突出する軸部１３３（図７参照）を中心に回動自在に取り付けられ、上筐体１２０のヒンジケース部１２３に内嵌して固定される。
【００２４】
上筐体１２０は、表示面１２１が設けられた矩形状の表示面の外縁から側壁が直交して形成されてなる上筐体本体１２２と、上筐体本体１２２における枠状の側壁に取り付けられた背面部１２５とから箱状に形成される。
【００２５】
この上筐体１２０の上筐体本体１２２における側壁のうち、基端側の側壁（基端側壁）１２２ａに、筒状のヒンジケース部１２３が、基端側壁１２２ａの長手方向、つまり、横方向に沿って形成されている。
【００２６】
このヒンジケース部１２３には、背面部１２５側の外周にスリット１２４が形成され、このスリット１２４は、背面部１２５に形成された舌部１２６により覆われる。舌部１２６は、背面部１２５の基端側辺部１２５ｂの中央部分から延出し、且つ、ヒンジケース部１２３の外周に沿って湾曲した側面視円弧状に形成されている。
【００２７】
また、上筐体１２０の内部には、背面１２５ａ及び表示面１２１と略平行に上部回路基板１５０が配置されるとともに、この上部回路基板１５０とヒンジ部１３０とを電位的に接続してヒンジ部１３０に給電する接続板金１６０が配設されている。
【００２８】
接続板金１６０は、上筐体１２０の背面部１２５から舌部１２６に跨るように配置されており、グランド回路を有する上部回路基板１５０の給電部１７０に接続する接点部１６１と、固定部１６２と、曲げ部（曲部）１６３と、他端部１６４に形成されヒンジ部１３０に接続するバネ接点部１６５とを有する。
【００２９】
図３は、本発明の一実施の形態に係る折り畳み式携帯無線機の備える接続板金の右側面図であり、図４は、本発明の一実施の形態に係る折り畳み式携帯無線機の備える接続板金の背面図である。また、図５は、本発明の一実施の形態に係る折り畳み式携帯無線機の備える接続板金の正面図であり、図６は、本発明の一実施の形態に係る折り畳み式携帯無線機の備える接続板金を背面側からみた図である。
【００３０】
図３〜図６に示すように、接続板金１６０は、板金を加工して形成されており、Ｌ字状の接点部１６１の一端から段差を設けた後で延出された細長の本体部分１６２ｃを有する固定部１６２が形成されている。
【００３１】
固定部１６２は、本体部分１６２ｃにおいて延在方向に延びる両側部に、固定部１６２の厚み方向に突出する固定片部１６２ａ、１６２ｂを有する。固定片部１６２ａ、１６２ｂは、上筐体１２０内に形成された図示しない窪みに嵌め込むことで接続板金１６０自体の位置決めを行う。固定部１６２は、接点部１６１側と反対側の端部から接点部１６１の延長上に延出する延長部１６２ｄを有し、この延長部１６２ｄの先端には、延長部１６２ｄの延出方向と直交する方向に折曲した他端部１６４が形成されている。なお、接続板金１６０において、延長部１６２ｄの延在方向と直交する方向に張り出す部分は、接続板金１６０を上筐体１２０に安定した状態で載置させている。
【００３２】
他端部１６４は、延長部１６２ｄに、曲げ部１６３を介して、延長部１６２ｄの延在方向と直交する方向に張り出すように形成されており、接続板金１６０自体においては、延長部１６２ｄと交差する面として形成される。
【００３３】
曲げ部１６３は、ヒンジ部１３０（回動筒部１３２）の外周に沿う形状であり、ここでは、舌部１２６の湾曲に対応して屈曲してなる。なお、曲げ部１６３は、舌部１２６の湾曲に対応する形状であればよく、曲げ部１６３を湾曲形状に形成してもよい。
【００３４】
バネ接点部１６５は、他端部１６４の一端部を屈曲し、他端部１６４から立ち上がるように形成され、その付勢方向（ストローク方向）が、他端部１６４の表面に対して垂直方向となるように他端部１６４に形成されている。バネ接点部１６５には、他端部１６４から斜めに立ち上がる部位の先端部分に、接点１６５ａが形成されている。
【００３５】
図７は、本発明の一実施の形態に係る折り畳み式携帯無線機において接続板金とヒンジ部との接続の説明に供する図であり、上筐体のヒンジケース部の側断面図である。
【００３６】
延長部１６２ｄ及び他端部１６４は、基端側端辺部１２５ｂ（図２参照）から突出して舌部１２６上に配置される。加えて、接続板金１６０の他端部１６４は、図７に示すように曲げ部１６３によってヒンジケース部１２３の外周に沿って配置される。
【００３７】
これにより、延長部１６２ｄ及び他端部１６４は、舌部１２６とヒンジケース部１２３との間で、ヒンジケース部１２３に内嵌するヒンジ部１３０の外周に沿って配置されている。
【００３８】
ヒンジ部１３０（詳細にはヒンジ部１３０の回動筒部１３２）は、軸部１３３の外周に回動自在に形成された内筒部１３４と、内筒部１３４の外周に配置され、導電性を有する外筒部１３６とを有する。
【００３９】
回動筒部１３２の外周、すなわち、外筒部１３６の外周には、回動筒部１３２自体がヒンジケース部１２３の軸方向に沿って延在する突条部（凸部）１３２ａ、１３２ｂが形成されており、上筐体１２０のヒンジケース部１２３の内周面に形成された溝部１２３ａ、１２３ｂと嵌合している。
【００４０】
これにより、回動筒部１３２はヒンジケース部１２３に位置決めされ、ヒンジケース部１２３内で軸部１３３を中心に回動することを規制し、回動筒部１３２はヒンジケース１２３と一体的に回動する。
【００４１】
なお、接続板金１６０は、回動筒部１３２の回動を規制する溝部１２３ａの一側壁部を形成するリブ１２９によって、上部回路基板１５０とヒンジ部１３０とに接続された状態で、上筐体１２０内に固定される。ここでは、接続板金１６０は、背面部１２５の裏面に配置され、リブ１２９によって、背面部１２５側に押さえつけられた状態で固定されている。
【００４２】
上筐体１２０内に配置された接続板金１６０は、延長部１６２ｄよりも先端側の他端部１６４に形成されたバネ接点部１６５を、ヒンジ部１３０の軸部よりも離れた位置で、湾曲する舌部１２６及びヒンジケース部１２３の間からヒンジケース部１２３に形成されたスリット１２４内に挿入している。
【００４３】
スリット１２４内に挿入されたバネ接点部１６５は、ヒンジケース部１２３内の回動筒部１３６を、軸部１３３の軸心に向かう方向（つまり、ヒンジ部１３０の半径方向）で押圧して、ヒンジ部１３０に接触し、導通した状態となっている。詳細には、バネ接点部１６５は、接点１６５ａ（図３及び図５参照）でヒンジ部１３０の外周を押圧した状態で接触する。なお、図７における破線１６５ｓは、接点部１６５において、ヒンジ部１３０を押圧しない通常状態の先端部分（図３及び図５に示す接点部１６５ａが形成された部位）を示す。
【００４４】
これにより、接続板金１６０を介してヒンジ部１３０に電気的に接続される上部回路基板１５０と、ヒンジ部１３０にグランド回路が接続される下部回路基板１４０とは、上筐体１２０が下筐体１１０に対して開いた状態ではダイポールアンテナとして動作する。
【００４５】
また、バネ接点部１６５は、曲げ部１６３によって、バネ接点部１６５の付勢方向がヒンジ部の軸心に向かう方向（ヒンジ部１３０の半径方向）となるように、つまり、バネ荷重がヒンジ部１３０の軸心に向かうように上筐体１２０に設けられる。これにより安定したバネ荷重を得ることができ、ヒンジ部１３０と接続板金の接触抵抗を安定することができる。
【００４６】
本実施の形態の携帯無線機１００によれば、図３に示すように、折り畳まれた状態では、バネ接点部１６５の付勢方向は、上筐体１２０の背面部１２５と略直交する方向よりも、背面部１２５の長手方向で、且つ、基端側端辺部１２５ａ側にズレた方向となる。つまり、バネ接点部１６５の付勢方向は、下部筐体１１０及び上部筐体１２０が折り畳まれた状態の基端側端辺部において、ヒンジ部１３０の軸部１３３よりも基端側で、ヒンジ部１３０の軸心（軸部１３３）及び上部回路基板１５０の双方と垂直な方向Ａと交差している。
【００４７】
このため、携帯無線機１００を落下することによって背面部（外表面）１２５側から矢印方向に荷重がかかる場合でも、バネ接点部１６５では、その付勢方向で落下による荷重が直接かかることがない。これにより、安定した接点状態を維持し、ヒンジ部１３０をアンテナとして安定して用いることができる。
【００４８】
なお、本実施の形態における接続板金１６０は、上筐体１２０における上部回路基板１５０のグランド回路と、ヒンジ部１３０とを電気的に接続する構成としたが、これに限らず、下筐体１１０の下部回路基板１４０のグランド回路とヒンジ部１３０とを電気的に接続する構成としてもよい。
【００４９】
なお、上記本発明は、本発明の精神を逸脱しない限り、種々の改変をなすことができ、そして本発明が該改変させたものに及ぶことは当然である。
【産業上の利用可能性】
【００５０】
本発明に係る折り畳み式携帯無線機は、落下により外表面側から衝撃を受けてもヒンジ部に安定して給電してアンテナ性の向上を図ることができる効果を有し、折り畳み式携帯無線機として有用である。
【符号の説明】
【００５１】
１００  携帯無線機
１１０  下筐体
１１１  操作面
１２０  上筐体
１２１  表示面
１２２  上筐体本体
１２３  ヒンジケース部
１２４  スリット
１２５  背面部
１２６  舌部
１２９  リブ
１３０  ヒンジ部
１３２  回動筒部
１３３  軸部
１３５  ヒンジ部
１４０  下部回路基板
１５０  上部回路基板
１６０  接続板金
１６１  接点部
１６２  固定部
１６３  曲げ部
１６４  他端部
１６５  バネ接点部
１７０  給電部
１１２ａ  基端側辺部
１１３ａ、１１３ｂ  ヒンジケース部
１２５ｂ  基端側辺部
【図１】
2011166513.tif 000003
【図２】
2011166513.tif 000004
【図３】
2011166513.tif 000005
【図４】
2011166513.tif 000006
【図５】
2011166513.tif 000007
【図６】
2011166513.tif 000008
【図７】
2011166513.tif 000009